(57)【特許請求の範囲】
【請求項１】
コイル（１４）と、
前記コイル内に配置されて磁路を形成する固定鉄心（１８）と、
前記固定鉄心に対向して配置され、前記コイルへの通電時に前記固定鉄心側に吸引される可動鉄片（２４）と、
固定端と自由端との中間部に前記可動鉄片が装着されるとともに前記可動鉄片を前記固定鉄心から離れる向きに付勢する板バネ（２０）と、
前記板バネの自由端側に装着された可動接点（２２）と、
前記可動接点に対向して配置され、前記コイルへの通電時に前記可動接点が当接する固定接点（２６）とを備える電磁継電器において、
前記コイルに通電されていないときの前記板バネの自由端側の移動範囲を規定するストッパ（３０）を備え、
前記可動接点は、前記板バネの一方側に前記固定接点と対向配置されるとともに前記板バネの他方側に前記ストッパと対向配置され、
前記ストッパは、前記板バネにおける前記可動接点よりも自由端先端側の部位（２０１）が当接するバネ当接部（３０１）と、前記コイルへの通電が遮断された際に、前記板バネが前記バネ当接部に当接した後に、前記板バネが撓むことにより前記板バネの他方側に前記ストッパと対向配置された前記可動接点が当接する接点当接部（３０２）と、を備えていることを特徴とする電磁継電器。
【請求項２】
前記ストッパは、金属よりなることを特徴とする請求項１に記載の電磁継電器。
【発明の詳細な説明】
【技術分野】
【０００１】
本発明は、電気回路を開閉する電磁継電器に関するものでである。
【背景技術】
【０００２】
従来、この種の電磁継電器として、例えば特許文献１に記載されたものがある。この特許文献１に記載された電磁継電器は、コイルへの通電時に固定鉄心側に吸引される可動鉄片が板バネに装着されている。板バネは一端が固定され、板バネの自由端側に可動接点が装着され、コイルへの通電時に可動接点が固定接点に当接するようになっている。また、板バネと可動鉄片との間にゴム製の弾性部材が配置されている。さらに、可動接点に対向する位置には金属製のストッパが配置されている。
【０００３】
そして、コイルへの通電が遮断された際、可動接点がストッパに衝突して板バネの自由端側の移動範囲が規定されるとともに、弾性部材の制振効果により板バネの振動が低減され、ひいては板バネの振動に起因する音が低減される。
【０００４】
また、従来の他の形式の電磁継電器として、板バネにおける可動鉄片が装着された部位に対向する位置に、バネにて構成されたストッパを配置したものが知られている。そして、コイルへの通電が遮断された際、板バネがストッパに当接して板バネの振動が低減され、ひいては板バネの振動に起因する音が低減される。
【先行技術文献】
【特許文献】
【０００５】
【特許文献１】特開２００２−１８４２９０号公報
【発明の概要】
【発明が解決しようとする課題】
【０００６】
しかしながら、前者の電磁継電器は、コイルへの通電が遮断された際、板バネの振動に起因する音は低減されるものの、可動接点がストッパに衝突することによる音が大きいという問題があった。また、弾性部材が必要で部品点数が増加するという問題があった。
【０００７】
後者の電磁継電器は、コイルへの通電が遮断された際の板バネの振動に起因する音は低減されるものの、可動接点が固定接点から離れた後に再度固定接点に当接する所謂リバウンドが発生し易いという問題があった。具体的には、コイルへの通電が遮断されて可動接点が固定接点から離れて板バネがストッパに当接した後に、バネにて構成されたストッパにより板バネがはね返されてリバウンドが発生する。
【０００８】
本発明は上記点に鑑みて、ゴム製の弾性部材を不要とし、可動接点がストッパに衝突する際の音を小さくし、リバウンドを発生しにくくすることを目的とする。
【課題を解決するための手段】
【０００９】
上記目的を達成するため、請求項１に記載の発明では、コイル（１４）と、コイル内に配置されて磁路を形成する固定鉄心（１８）と、固定鉄心に対向して配置され、コイルへの通電時に固定鉄心側に吸引される可動鉄片（２４）と、固定端と自由端との中間部に可動鉄片が装着されるとともに可動鉄片を固定鉄心から離れる向きに付勢する板バネ（２０）と、板バネの自由端側に装着された可動接点（２２）と、可動接点に対向して配置され、コイルへの通電時に可動接点が当接する固定接点（２６）とを備える電磁継電器において、コイルに通電されていないときの板バネの自由端側の移動範囲を規定するストッパ（３０）を備え、可動接点は、板バネの一方側に固定接点と対向配置されるとともに板バネの他方側にストッパと対向配置され、ストッパは、板バネにおける可動接点よりも自由端先端側の部位（２０１）が当接するバネ当接部（３０１）と、コイルへの通電が遮断された際に、板バネがバネ当接部に当接した後に、板バネが撓むことにより板バネの他方側にストッパと対向配置された可動接点が当接する接点当接部（３０２）と、を備えていることを特徴とする。
【００１０】
これによると、コイルへの通電が遮断された際、板バネがストッパに当接することにより板バネの振動が低減されるため、ゴム製の弾性部材を用いることなく板バネの振動に起因する音を低減することができる。
【００１１】
また、可動接点がストッパに衝突する場合でも、板バネがストッパに当接して可動接点の移動速度が低下した後に可動接点がストッパに衝突するようにすれば、可動接点がストッパに衝突する際の音を小さくすることができる。
【００１２】
さらに、バネにて構成されたストッパを用いないため、リバウンドを発生しにくくすることができる。
【００１３】
さらに、ストッパは、コイルへの通電が遮断された際に、板バネがバネ当接部に当接した後に、板バネが撓むことにより可動接点が当接する接点当接部（３０２）を備えていることを特徴とする。
【００１４】
これによると、コイルへの通電が遮断された際、可動接点が接点当接部に当接することによっても板バネの振動が低減されるため、板バネの振動に起因する音を一層低減することができる。
【００１５】
また、可動接点の移動速度が低下した後に可動接点がストッパに衝突するため、可動接点がストッパに衝突する際の音を小さくすることができる。
【００１６】
請求項２に記載の発明のように、請求項１に記載の電磁継電器において、ストッパを金属製にすることができる。
【００１７】
なお、この欄および特許請求の範囲で記載した各手段の括弧内の符号は、後述する実施形態に記載の具体的手段との対応関係を示すものである。
【図面の簡単な説明】
【００１８】
【図１】本発明の一実施形態に係る電磁継電器を示す図である。
【図２】図１のＡ部の拡大図である。
【発明を実施するための形態】
【００１９】
本発明の一実施形態について説明する。
【００２０】
図１に示すように、樹脂よりなる板状のベース１０に、樹脂よりなる有底筒状のケース１２が嵌合されており、ベース１０とケース１２とによって内部に空間が形成されている。
【００２１】
内部空間には、通電時に磁界を形成する円筒状のコイル１４が配置されている。このコイル１４には、コイルターミナル１５を介して電力が供給される。コイルターミナル１５は、ベース１０に圧入固定されるとともにベース１０を貫通している。
【００２２】
コイル１４により誘起された磁束の磁路を構成するヨーク１６には、第１ターミナル１７が一体に形成されている。第１ターミナル１７は、ベース１０に圧入固定されるとともにベース１０を貫通している。なお、コイル１４はヨーク１６に固定されている。
【００２３】
磁路を形成する鍔付き円柱状の固定鉄心１８は、その軸部がコイル１４の中心孔内に挿入され、鍔部がコイル１４の外部に露出している。
【００２４】
コの字状の薄板導電金属製の板バネ２０は、一端がヨーク１６に固定されている。板バネ２０の自由端側には、可動接点２２がかしめ固定されている。
【００２５】
板バネ２０には、コイル１４への通電時に固定鉄心１８側に吸引される可動鉄片２４がかしめ固定されている。より詳細には、可動鉄片２４は、板バネ２０の固定端と自由端との中間部に配置されるとともに、固定鉄心１８に対向して配置されている。
【００２６】
板バネ２０は、可動接点２２が固定接点２６から離れる向きの付勢力、および可動鉄片２４が固定鉄心１８から離れる向きの付勢力を発生するとともに、電気回路の一部を兼ねる。
【００２７】
固定接点２６が接合された第２ターミナル２８は、ベース１０に圧入固定されるとともにベース１０を貫通している。
【００２８】
固定接点２６は、可動接点２２に対向して配置されている。より詳細には、固定接点２６は、コイル１４に通電されているときに可動接点２２が当接するように、可動鉄片２４が固定鉄心１８に吸引されるときの可動接点２２の移動向き側に配置されている。
【００２９】
コイル１４に通電されていないときの板バネ２０の自由端側の移動範囲を規定するストッパ３０が、板バネ２０の自由端先端側および可動接点２２に対向して配置されている。より詳細には、ストッパ３０は、可動鉄片２４が固定鉄心１８から離れるときの可動接点２２の移動向き側に配置されている。ストッパ３０は、黄銅等の金属材料をプレス成型したものであり、圧入または接着等にてベース１０に接合されている。
【００３０】
図２に示すように、ストッパ３０は、板バネ２０における可動接点２２よりも自由端先端側の部位（以下、板バネ先端側部位という）２０１に対向する位置に配置されたバネ当接部３０１と、可動接点２２に対向する位置に配置された接点当接部３０２とを備えている。
【００３１】
バネ当接部３０１と接点当接部３０２は、段付き状になっており、コイル１４への通電が遮断されて可動接点２２が固定接点２６から離れる向きに移動する行程において、板バネ先端側部位２０１がバネ当接部３０１に当接した時点では、可動接点２２と接点当接部３０２との間に隙間が存在するようになっている。
【００３２】
次に、本実施形態に係る電磁継電器の作動を説明する。まず、コイル１４に通電されると、その電磁吸引力により可動鉄片２４が固定鉄心１８側に吸引され、可動接点２２が固定接点２６に当接して、電気回路が閉じられる。
【００３３】
一方、コイル１４への通電が遮断されると、板バネ２０の弾性力により可動接点２２が固定接点２６から離され、電気回路が開かれる。
【００３４】
コイル１４への通電が遮断されて可動接点２２が固定接点２６から離れる向きに移動する行程において、可動接点２２が固定接点２６から離された後、板バネ先端側部位２０１がバネ当接部３０１に当接する。これにより、板バネ２０の振動が低減され、板バネ２０の振動に起因する音が低減される。
【００３５】
また、板バネ先端側部位２０１がバネ当接部３０１に当接した後、板バネ２０が撓んで可動接点２２が接点当接部３０２に当接し、板バネ２０の振動が低減され、板バネ２０の振動に起因する音がさらに低減される。
【００３６】
ここで、板バネ先端側部位２０１がバネ当接部３０１に当接して、可動接点２２の移動速度が低下した後に可動接点２２が接点当接部３０２に当接するため、可動接点２２が接点当接部３０２に衝突する際の音は小さくなる。
【００３７】
以上述べたように、本実施形態によると、コイル１４への通電が遮断された際、板バネ２０がバネ当接部３０１に当接するとともに可動接点２２が接点当接部３０２に当接することにより、板バネ２０の振動が確実に低減されるため、ゴム製の弾性部材を用いることなく板バネ２０の振動に起因する音を低減することができる。
【００３８】
また、可動接点２２の移動速度が低下した後に可動接点２２が接点当接部３０２に衝突するため、可動接点２２がストッパ３０に衝突する際の音を小さくすることができる。
【００３９】
さらに、バネにて構成されたストッパを用いないため、リバウンドを発生しにくくすることができる。
【００４０】
（他の実施形態）
なお、本発明は上記した実施形態に限定されるものではなく、特許請求の範囲に記載した範囲内において適宜変更が可能である。
【００４１】
また、上記実施形態において、実施形態を構成する要素は、特に必須であると明示した場合および原理的に明らかに必須であると考えられる場合等を除き、必ずしも必須のものではないことは言うまでもない。
【００４２】
また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。
【００４３】
また、上記実施形態において、構成要素等の形状、位置関係等に言及するときは、特に明示した場合および原理的に特定の形状、位置関係等に限定される場合等を除き、その形状、位置関係等に限定されるものではない。
【符号の説明】
【００４４】
１４    コイル
１８    固定鉄心
２０    板バネ
２２    可動接点
２４    可動鉄片
２６    固定接点
３０    ストッパ
３０１  バネ当接部
【図１】
0006597378.tif 000002
【図２】
0006597378.tif 000003